(57)【要約】      （修正有）【課題】簡素な構造で、開閉操作が容易であり、優れた密閉性を発揮し、塵埃や異物などの侵入に起因する故障が発生し難い密閉ハンドルを提供する。【解決手段】密閉ハンドル１００は、扉体１０の正面１０ｆの側縁部１０ａ付近に基板５を介して取り付けて使用され、扉体１０と直角交差する第１仮想線を中心に回動可能な状態で基板５に取り付けられた本体部３と、第１仮想線と直角交差する第２仮想線を中心に回動可能な状態で本体部３に取り付けられたロック部材４と、第１仮想線を中心に本体部３を回動させるための操作アーム６と、第２仮想線を中心にロック部材４を回動させるための操作ハンドル７と、を備えている。ロック部材４は、第２仮想線から離隔する方向に膨出する二つの突状部を有する、横断面形状が長円形状の部材である。【選択図】図２
2015124527.tif 000002
【特許請求の範囲】
【請求項１】
扉体の周縁部付近に取り付けて使用され、所定の支持部材に設けられた扉体収容溝の内側面と、前記扉体収容溝に収容された前記扉体の周縁部との間に形成される隙間に進退可能なロック部材を有する密閉ハンドルであって、
扉体と交差する第１仮想線を中心に回動可能な状態で前記扉体に取り付けられた本体部と、前記第１仮想線と交差する第２仮想線を中心に回動可能な状態で前記本体部に取り付けられたロック部材と、を備え、前記第１仮想線を中心に前記本体部を回動させると前記ロック部材が前記隙間に進退可能であり、前記第２仮想線を中心に前記ロック部材を回動させると前記扉体の周縁部及び前記扉体収容溝の内側面に当接する係合手段を前記ロック部材に設けたことを特徴とする密閉ハンドル。
【請求項２】
前記係合手段として、前記ロック部材に前記第２仮想線から離隔する方向に膨出する突状部を設けた請求項１記載の密閉ハンドル。
【請求項３】
前記扉体の周縁部及び前記扉体収容溝の内側面に前記係合手段を当接させたとき前記扉体の外周部及び前記扉体収容溝の側壁の頂上部に当接する副係合手段を前記ロック部材に設けた請求項１または２記載の密閉ハンドル。
【請求項４】
前記第１仮想線を中心に前記本体部を回動させるための操作アーム、若しくは、前記第２仮想線を中心に前記ロック部材を回動させるための操作ハンドルの少なくとも一方を設けた請求項１〜３のいずれかに記載の密閉ハンドル。
【請求項５】
前記操作アームとして、前記本体部において前記第１仮想線を挟んで前記ロック部材と反対をなす位置に前記第２仮想線方向を長手方向とする筒状若しくは棒状アームを設けた請求項４記載の密閉ハンドル。
【請求項６】
前記操作ハンドルが、前記第２仮想線を中心に前記ロック部材と連動して回動する軸部と、前記軸部を回動させるため前記第２仮想線からこれと交差する方向に離れた状態で前記軸部に連設された操作部とを有する請求項４記載の密閉ハンドル。
【発明の詳細な説明】
【技術分野】
【０００１】
本発明は、各種構造物の出入り口や物品出し入れ口、通用口あるいは固定枠体などを開閉可能に閉止する扉体を密閉施錠するための密閉ハンドルに関する。
【背景技術】
【０００２】
近年、台風や集中豪雨などによる洪水あるいは津波などの非常事態が発生したとき、各種構造物の出入り口などからの浸水を防止するために出入り口に扉体が設置される事例が多くなっているが、この扉体の密閉性を高める機構として、例えば、図９，図１０に示す密閉ハンドル９０が提案されている。図９に示す密閉ハンドル９０は、扉体１００の表面１００ａの側縁部１００ｂ付近に取り付けて使用されるものであり、扉体１００の表面１００ａに取り付けられた固定部材９１と、扉体１００の表面１００ａと交差する仮想線Ｘを中心に回動可能な状態で固定部材９１に取り付けられた本体部９２と、本体部９２の一方の端部に設けられたロック部材９３と、他方の端部に設けられた操作アーム９４とを備えている。
【０００３】
図９に示すように、操作アーム９４及びロック部材９３が鉛直方向をなすように本体部９２をセットした状態で、扉体１００の側縁部１００ｂを、出入り口１０２に立設された支持部材１０３に設けられた扉体収容溝１０４内に収容した後、操作アーム９４を仮想線Ｘ中心に時計回り（矢線Ｙ方向）に９０度回動させると、図１０に示すように、ロック部材９３の一部が扉体収容溝１０４の正面側の内側面１０４ａに当接する。
【０００４】
このとき、ロック部材９３が内側面１０４ａから受ける反力によって扉体１００が扉体収容溝１０４の背面側の内側面１０４ｂに向かって押圧されるので、扉体１００の背面１００ｃの側縁部に付設されたパッキン９５が内側面１０４ｂとの間で圧縮され、支持部材１０３に対する扉体１００の密閉性を確保することができる。
【０００５】
また、本発明に関連する従来技術として、防水堤の切り通しを着脱可能な扉体で閉止する止水構造がある（例えば、特許文献１参照。）。特許文献１記載の止水構造においては、止水時の密閉性を高めるため、止水扉板と戸当たりとの間にパッキンを介在させるとともに、止水扉板を戸当たりに向かって押圧することによって前記パッキンを圧縮する扉固定手段が設けられている。
【０００６】
さらに、本発明に関連する従来技術として、冷蔵庫本体などの固定枠体に扉を密着させて係止施錠する密閉ハンドル装置（例えば、特許文献２参照。）、あるいは、オーブン調理機、各種試験機、工作機械などの扉に使用される二段階開放型の密閉リフトハンドル装置（例えば、特許文献３参照。）などがある。
【先行技術文献】
【特許文献】
【０００７】
【特許文献１】特開２００１−１０８１１７号公報
【特許文献２】特開平８−２０９９８９号公報
【特許文献３】特開２００６−１１８１１５号公報
【発明の概要】
【発明が解決しようとする課題】
【０００８】
図９に示す密閉ハンドル９０は、簡素な構造であり、簡単な操作で扉体１００と支持部材１０３との密閉性を駆保することができる点において優れているが、水圧などにより、扉体１００の表面１００ａに対し、その背面１００ｃ側に向かう押圧力が加わってパッキン９５が収縮すると、扉体収容溝１０４の内側面１０４ａからロック部材９３が離れて、密閉性が悪化したり、扉体１００がズレたりすることがある。このような問題は、特許文献２記載の「密閉ハンドル装置」を用いても解決することができない。
【０００９】
一方、特許文献１記載の「止水構造」や特許文献２記載の「二段階開放型密閉リフトハンドル装置」は、扉体に前後方向の押圧力が加わっても扉体が動かないように係止できるが、扉体を密閉する機構が複雑であるため、風雨に曝される屋外に設置した場合、空気中の塵埃や異物あるいは非常事態発生時の洪水中の懸濁物質などが密閉機構に侵入して故障する可能性が高い。また、特許文献１記載の「止水構造」の場合、扉固定手段の操作が煩雑であるため、ゲリラ豪雨などの非常事態が発生したときに扉体密閉操作が間に合わないおそれもある。
【００１０】
そこで、本発明が解決しようとする課題は、簡素な構造で、開閉操作が容易であり、優れた密閉性を発揮し、故障も発生し難い密閉ハンドルを提供することにある。
【課題を解決するための手段】
【００１１】
本発明の密閉ハンドルは、扉体の周縁部付近に取り付けて使用され、所定の支持部材に設けられた扉体収容溝の内側面と、前記扉体収容溝に収容された前記扉体の周縁部との間に形成される隙間に進退可能なロック部材を有する密閉ハンドルであって、
扉体と交差する第１仮想線を中心に回動可能な状態で前記扉体に取り付けられた本体部と、前記第１仮想線と交差する第２仮想線を中心に回動可能な状態で前記本体部に取り付けられたロック部材と、を備え、前記第１仮想線を中心に前記本体部を回動させると前記ロック部材が前記隙間に進退可能であり、前記第２仮想線を中心に前記ロック部材を回動させると前記扉体の周縁部及び前記扉体収容溝の内側面に当接する係合手段を前記ロック部材に設けたことを特徴とする。
【００１２】
このような構成とすれば、前記第１仮想線を中心に前記本体部を回動させて前記ロック部材を前記隙間に進入させた後、前記第２仮想線を中心に前記ロック部材を回動させると、前記ロック部材の係合手段が前記扉体の周縁部及び前記扉体収容溝の内側面の両方に当接し、これによって扉体は、前後方向の押圧力が加わっても動かないように係止されるため、優れた密閉性を発揮する。
【００１３】
また、本発明の密閉ハンドルは、前記第１仮想線を中心に本体部を回動させた後、前記第２仮想線を中心にロック部材を回動させるだけで扉体を密閉状態とすることができ、前述と逆にロック部材及び本体部を回動させれば、扉体を密閉状態から解除できるので、開閉操作は容易である。
【００１４】
さらに、本発明の密閉ハンドルは、第１仮想線を中心に回動可能な本体部と、第２仮想線を中心に回動可能な状態で本体部に取り付けられたロック部材とを備えたものであるため、構造が簡素であり、空気中の塵埃や異物あるいは水中の懸濁物質などの侵入に起因する故障も発生し難い。
【００１５】
ここで、前記係合手段として、前記ロック部材に前記第２仮想線から離隔する方向に膨出する突状部を設けることができる。
【００１６】
また、前記扉体の周縁部及び前記扉体収容溝の内側面に前記係合手段を当接させたとき前記扉体の外周部及び前記扉体収容溝の側壁の頂上部に当接する副係合手段を前記ロック部材に設けることもできる。
【００１７】
一方、前記第１仮想線を中心に前記本体部を回動させるための操作アーム、若しくは、前記第２仮想線を中心に前記ロック部材を回動させるための操作ハンドルの少なくとも一方を設けることが望ましい。
【００１８】
この場合、前記操作アームとして、前記本体部において前記第１仮想線を挟んで前記ロック部と反対をなす位置に前記第２仮想線方向を長手方向とする筒状若しくは棒状アームを設けることができる。
【００１９】
また、前記操作ハンドルが、前記第２仮想線を中心に前記ロック部材と連動して回動する軸部と、前記軸部を回動させるため前記第２仮想線からこれと交差する方向に離れた状態で前記軸部に連設された操作部とを有するものとすることができる。
【発明の効果】
【００２０】
本発明により、簡素な構造で、開閉操作が容易であり、優れた密閉性を発揮し、故障し難い密閉ハンドルを提供することができる。
【図面の簡単な説明】
【００２１】
【図１】本発明の実施形態である密閉ハンドルを示す斜視図である。
【図２】図１の密閉ハンドルを扉体の左側に取り付けた状態を示す斜視図である。
【図３】図１の密閉ハンドルを扉体の右側に取り付けた状態を示す斜視図である。
【図４】図２の一部拡大図である。
【図５】図２に示す操作ハンドルの操作手順を示す説明図である。
【図６】図５に示す操作手順の平面図である。
【図７】本発明のその他の実施形態である密閉ハンドルを示す斜視図である。
【図８】図７に示す密閉ハンドルの使用状態を示す水平断面図である。
【図９】従来の密閉ハンドルの使用状態を示す一部省略斜視図である。
【図１０】図９に示す密閉ハンドルを閉止状態にしたときの一部省略平面図である。
【発明を実施するための形態】
【００２２】
以下、図１〜図８に基づいて本発明の実施形態である密閉ハンドル１００，２００について説明する。
【００２３】
図１〜図６に示すように、本実施形態に係る密閉ハンドル１００は、扉体１０の正面１０ｆの周縁部の一部をなす左右の側縁部１０ａ付近に基板５を介して取り付けて使用され、扉体１０と直角交差する第１仮想線１を中心に回動可能な状態で基板５に取り付けられた本体部３と、第１仮想線１と直角交差する第２仮想線２を中心に回動可能な状態で本体部３に取り付けられたロック部材４と、第１仮想線１を中心に本体部３を回動させるための操作アーム６と、第２仮想線２を中心にロック部材４を回動させるための操作ハンドル７と、を備えている。基板５は複数のネジ９を用いて扉体１０の側縁部１０ａ付近に着脱可能に取り付けられている。
【００２４】
操作アーム６は、本体部３において第１仮想線１を挟んでロック部材４と反対をなす位置に第２仮想線２方向を長手方向とする丸筒状アームである。操作ハンドル７は、第２仮想線２を中心にロック部材４と連動して回動する軸部７ａと、軸部７ａを回動させるため第２仮想線２からこれと直角交差する方向に離れた状態で軸部７ａに連設されたコ字状の操作部７ｂと、を有する。ロック部材４はネジ８を用いて軸部７ａに着脱可能に固定されている。
【００２５】
密閉ハンドル１００において、操作アーム６を手で掴み、第１仮想線１を中心に本体部３を９０度回動（正転・逆転）させるとロック部材４が隙間Ｇ（図６参照）に対して進退可能であり、操作ハンドル７の操作部７ｂを手で掴んで第２仮想線２を中心に９０度回動（起伏）させるとロック部材４が連動して９０度回動する。ロック部材４は、第２仮想線２から離隔する方向に膨出する二つの突状部４ａ，４ｂを有する、横断面形状が長円形状の部材である。二つの突状部４ａ，４ｂは軸部７ａ（第２仮想線２）の周りに１８０度間隔で形成されている。
【００２６】
図２，３に示すように、扉体１０の左右の側縁部１０ａは、構造物（図示せず）の出入り口１１の左右に立設された支持部材２０Ｌ，２０Ｒに設けられた扉体収容溝２１にそれぞれ収容可能である。扉体１０の背面１０ｂの側縁部１０ｃに沿ってパッキン１２が付設されている。
【００２７】
ここで、図２〜図６に基づいて、密閉ハンドル１００の使い方について説明する。なお、図２，図３に示す密閉ハンドル１００は互いに左右対称形状であり、使い方も同様であるため、以下、扉体１０の左側の側縁部１０ａに取り付けた密閉ハンドル１００の使い方について説明する。
【００２８】
図２，図３に示すように、集中豪雨などの際に構造物（図示せず）の出入り口１１を閉塞する必要が生じた場合、出入り口１１の左右の支持部材２０Ｌ，２０Ｒの間に扉体１０を起立状に配置するとともに、扉体１０の左右の側縁部１０ａをそれぞれ支持部材２０Ｌ，２０Ｒの扉体収容溝２１に収容する。このとき、操作アーム６及びロック部材４は鉛直方向をなし、操作ハンドル７の操作部７ｂを扉体１０の正面から起立させた状態にしておく必要がある。
【００２９】
この後、図４に示すように、操作アーム６を手で掴んで第１仮想線１を中心に本体部３を矢線Ｒ方向に９０度回動させると、図５（ａ）及び図６（ａ）に示すように、扉体収容溝２１の正面側の内側面２１ａと、扉体収容溝２１に収容された扉体１０の側縁部１０ａとの間に形成される隙間Ｇに対し、ロック部材４が進入する。
【００３０】
この後、図５（ｂ）に示すように、ロック部材４を隙間Ｇに進入させた状態のまま、第２仮想線２を中心に操作ハンドル７の操作部７ｂを扉体１０の正面１０ｆに向かって９０度回動させると（倒伏させると）、図６（ｂ）に示すように、ロック部材４が連動して９０度回動し、突状部４ａ，４ｂがそれぞれ扉体１０の正面１０ｆの側縁部１０ａ及び扉体収容溝２１の正面側の内側面２１ａに当接する。このとき、扉体収容溝２１の内側面２１ａからロック部材４が受ける反力により、扉体１０は扉体収容溝２１の背面側の内側面２１ｂに向かって押圧され、パッキン１２が圧縮されるので、扉体１０と扉体収容溝２１とを密閉状態にすることができる。
【００３１】
このように、操作アーム６を操作して第１仮想線１を中心に本体部３を回動させてロック部材４を隙間Ｇに進入させた後、操作ハンドル７を操作して第２仮想線２を中心にロック部材４を回動させると、ロック部材４の係合手段（突状部４ａ，４ｂ）がそれぞれ扉体収容溝２０の内側面２０ａ及び扉体１０の側縁部１０ａの両方に当接し、これによって扉体１０は、前後方向の押圧力が加わっても動かないように係止されるため、優れた密閉性を発揮する。
【００３２】
また、密閉ハンドル１００は、第１仮想線１を中心に本体部３を回動させた後、第２仮想線２を中心にロック部材４を回動させるだけで扉体１０を密閉状態とすることができ、前述と逆の操作を行ってロック部材４並びに本体部３を回動させれば、扉体１０を密閉状態から解除できるので、開閉操作は極めて容易である。
【００３３】
さらに、密閉ハンドル１００は、第１仮想線１を中心に回動可能な本体部３と、第２仮想線２を中心に回動可能な状態で本体部３に取り付けられたロック部材４とを備えた、簡素な構造であり、入り込んだ隙間やスプリング機構などが不要であるため、空気中の塵埃や異物あるいは水中の懸濁物質などの侵入に起因する故障も発生し難い。
【００３４】
次に、図７，図８に基づいて、本発明のその他の実施形態である密閉ハンドル２００について説明する。なお、密閉ハンドル２００において、前述した密閉ハンドル１００を構成する部分と同様の機能を発揮する部分については図１〜図６中の記号と同じ符号を付して説明を省略する。
【００３５】
図７に示す密閉ハンドル２００においては、図８に示すように、操作ハンドル７を操作して、ロック部材４０の係合手段である平面状の突状部４０ａ，４０ｂを、それぞれ支持部材２０Ｌの扉体収容溝２１の正面側の内側面２１ａ及び扉体１０の正面１０ｆ側の側縁部１０ａに当接させたとき、扉体１０の外周部１０ｄ及び扉体収容溝２１の正面側の側壁２２の頂上部２２ａに当接する副係合手段である副突状部４０ｃ，４０ｄがロック部材４０に設けられている。
【００３６】
突状部４０ａ，４０ｂは第２仮想線２から離れる方向に突出して形成され、副突状部４０ｃ，４０ｄは、突状部４０ａ，４０ｂに対して第２仮想線２方向に変位した位置において、突状部４０ａ，４０ｂよりさらに第２仮想線２から離れる方向に突出して形成されている。突状部４０ａと副突状部４０ｄとの間の段差部分に面状部４０ｆが形成され、突状部４０ｂと副突状部４０ｃとの間の段差部分に面状部４０ｅが形成されている。面状部４０ｆ，４０ｅはいずれも第２仮想線２と直角に交差する平面部分を有する。突状部４０ａと副突状部４０ｄとの間の面状部４０ｆが側壁２２の頂上部２２ａに当接し、突状部４０ｂと副突状部４０ｃとの間の面状部４０ｅが扉体１０の外周部１０ｄに当接する。
【００３７】
密閉ハンドル２００のロック部材４０は、係合手段である突状部４０ａ，４０ｂに加えて、副係合手段である副突状部４０ｃ，４０ｄを有していることにより、図８に示すように、扉体１０は前後方向だけでなく左右方向にも動かないように係止されるため、密閉性の向上に有効である。
【００３８】
なお、図１〜図８に基づいて説明した密閉ハンドル１００，２００は構造物の出入り口を開閉可能に閉塞する扉体１０の密閉手段として使用しているが、密閉ハンドル１００，２００は本発明を例示するものであり、本発明の密閉ハンドルの構造や用途は前述した密閉ハンドル１００，２００に限定されない。
【産業上の利用可能性】
【００３９】
本発明の密閉ハンドルは、各種構造物の出入り口や物品出し入れ口、通用口あるいは固定枠体などを開閉可能に閉止する扉体の密閉手段、あるいは、防音扉、防火扉、大型冷蔵庫の開閉扉などの密閉手段として、土木建設業の分野や各種電気機械産業の分野などにおいて広く利用することができる。
【符号の説明】
【００４０】
１  第１仮想線
２  第２仮想線
３  本体部
４，４０  ロック部材
４ａ，４ｂ，４０ａ，４０ｂ  突状部
５  基板
６  操作アーム
７  操作ハンドル
７ａ  軸部
７ｂ  操作部
８，９  ネジ
１０  扉体
１０ａ，１０ｃ  側縁部
１０ｂ  背面
１０ｄ  外周部
１０ｆ  正面
１１  出入り口
１２  パッキン
２０Ｌ，２０Ｒ  支持部材
２１  扉体収容溝
２１ａ，２１ｂ  内側面
２２  側壁
２２ａ  頂上部
４０ｃ，４０ｄ  副突状部
４０ｅ，４０ｆ  面状部
１００，２００  密閉ハンドル
【図１】
2015124527.tif 000003
【図２】
2015124527.tif 000004
【図３】
2015124527.tif 000005
【図４】
2015124527.tif 000006
【図５】
2015124527.tif 000007
【図６】
2015124527.tif 000008
【図７】
2015124527.tif 000009
【図８】
2015124527.tif 000010
【図９】
2015124527.tif 000011
【図１０】
2015124527.tif 000012